(57)【要約】【課題】機構を簡素化するとともに胴の剛性を低下させることなく、ブランケット又は刷版をより確実に固定できる固定装置を提供すること。【解決手段】輪転機において胴２０に巻き付けたブランケット１０又は刷版を固定するブランケット又は刷版の固定装置であって、胴２０に形成され、ブランケット又は刷版のくわえ側１１ａが引っ掛けられるとともに、くわえ尻側１１ｂが挿入される拘束溝２１と、  拘束溝２１の胴軸方向全長にわたって配置され、拘束溝２１の一部となるスリット３１を有する拘束体３０とを備える。拘束体３０は、胴軸方向の中心軸を回転軸として回転可能である。【選択図】図１
0003153813.tif 000002
【実用新案登録請求の範囲】
【請求項１】
輪転機において胴に巻き付けたブランケット又は刷版を固定するブランケット又は刷版の固定装置であって、
前記胴に形成され、ブランケット又は刷版のくわえ側が引っ掛けられるとともに、くわえ尻側が挿入される拘束溝と、
前記拘束溝の胴軸方向全長にわたって配置され、前記拘束溝の一部となるスリットを有する拘束体とを備え、
前記拘束体が、胴軸方向の中心軸を回転軸として回転可能であるブランケット又は刷版の固定装置。
【請求項２】
一方向に回転した拘束体が逆方向に回転することを阻止する戻り防止機構を備える請求項１に記載のブランケット又は刷版の固定装置。
【請求項３】
前記戻り防止機構が、先端部材が基端部材に対して進退可能であるとともに前記先端部材が弾性体によって突出する方向に付勢されている弾性棒を備え、
前記弾性棒は、その軸線が前記拘束体の中心軸と直交するように配置され、
前記弾性棒の先端部材は、前記拘束体の側面部に回転可能に軸支にされ、
前記弾性棒の基端部材は、前記拘束体の中心軸が位置する水平面上で回転可能に軸支され、
前記拘束体の回転により、前記弾性体の先端部材の軸支部が前記拘束体の中心軸が位置する水平面よりも上方又は下方に位置する請求項２に記載のブランケット又は刷版の固定装置。
【請求項４】
前記戻り防止機構がラチェット機構を備える請求項２に記載のブランケット又は刷版の固定装置。
【考案の詳細な説明】
【技術分野】
【０００１】
本考案は、輪転機において胴に巻き付けたブランケット又は刷版を固定するブランケット又は刷版の固定装置に関する。
【背景技術】
【０００２】
新聞などを印刷する輪転機においては、ブランケット胴に巻き付けたブランケットが、回転しながら版胴に巻き付けた刷版から転写されたインキを走行紙に転写することによって印刷を行っている。
【０００３】
従来、ブランケットや刷版をブランケット胴や版胴に巻き付けて固定する方式として、ブランケット胴や版胴に拘束溝を形成し、その拘束溝にブランケットや刷版のくわえ側を引っ掛けるとともに、くわえ尻側を固定する方式が知られている。そして、その固定を確実にするための固定装置が特許文献１に開示されている。この特許文献１の固定装置は、ブランケットのくわえ側（先行端）及びくわえ尻側（後行端）を挿入した拘束溝（挿入溝）に圧入体を圧入することで、ブランケットのくわえ側及びくわえ尻側を拘束溝の壁面に押し付けて固定するものである。
【０００４】
しかし、圧入体を圧入するだけでは、ブランケットや刷版の固定は不十分であり、とくにブランケット胴や版胴をより高速で回転させる印刷条件では、ブランケットや刷版が緩んで印刷不良が発生することがあった。
【先行技術文献】
【特許文献】
【０００５】
【特許文献１】特開２００２−３２６３４１号公報
【考案の概要】
【考案が解決しようとする課題】
【０００６】
本考案が解決しようとする課題は、機構を簡素化するとともに胴の剛性を低下させることなく、ブランケット又は刷版をより確実に固定できる固定装置を提供することにある。
【課題を解決するための手段】
【０００７】
本考案の固定装置は、輪転機において胴に巻き付けたブランケット又は刷版を固定するブランケット又は刷版の固定装置であって、前記胴に形成され、ブランケット又は刷版のくわえ側が引っ掛けられるとともに、くわえ尻側が挿入される拘束溝と、前記拘束溝の胴軸方向全長にわたって配置され、前記拘束溝の一部となるスリットを有する拘束体とを備え、前記拘束体が、胴軸方向の中心軸を回転軸として回転可能であることを特徴とするものである。
【０００８】
なお、本考案において、「胴」とはブランケット胴及び版胴を総称するものである。
【考案の効果】
【０００９】
本考案によれば、拘束溝及び拘束体のスリットにくわえ尻側を挿入し、その状態で拘束体を回転させることで、くわえ尻側が締め込まれるので、機構を簡素化するとともに胴の剛性を低下させることなく、ブランケット又は刷版をより確実に固定できる。
【図面の簡単な説明】
【００１０】
【図１】本考案の実施例を示す断面図である。
【図２】図１の実施例で使用した拘束体を上から見た図である。
【図３】図１の実施例における拘束体と戻り防止機構の関係を示す図で、（ａ）は平面図、（ｂ）は側面図である。
【図４】戻り防止機構の他の例を示す図で、（ａ）は平面図、（ｂ）は側面図である。
【考案を実施するための形態】
【００１１】
以下、図面に示す実施例に基づき本考案の実施の形態を説明する。
【００１２】
図１は、本考案の実施例を示す断面図である。この実施例の固定装置はブランケット１０をブランケット胴２０に固定するものである。このブランケット胴２０には、２頁幅のブランケット１０が１枚だけ巻き付けられる。
【００１３】
ブランケット１０は、金属板１１の一面に、その両端部（くわえ側１１ａ及びくわえ尻側１１ｂ）を除いてゴム状のブランケットシート１２を被覆した、いわゆるメタルブランケットであり、そのくわえ側１１ａをブランケット胴２０に形成した拘束溝２１の壁面に引っ掛け、くわえ尻側１１ｂを拘束溝２１内に挿入することで、ブランケット胴２０に巻き付けられる。
【００１４】
拘束体３０が、拘束溝２１の胴軸方向全長にわたって配置されている。拘束体３０には、拘束溝２１の一部となるスリット３１が形成されている。具体的には、スリット３１が拘束溝２１の胴軸方向全長にわたってその一部を構成するように、スリット３１の胴軸方向の長さは、拘束溝２１の胴軸方向の長さと同一又はそれ以上とされる。
【００１５】
拘束体３０は、胴軸方向の中心軸を回転軸として回転可能となるようにブランケット胴２０に装着されている。本実施例では、拘束体３０は円柱形状を有し、その円柱の中心軸を回転軸として回転可能である。そして、拘束体３０を回転させるため、図２に示すように、拘束体３０の一端に操作部３２が設けられている。操作部３２は、ブランケット胴２０の操作側から操作可能な位置に設けられ、操作側から六角レンチ等の操作具を操作部３２に嵌め込んで回転させることにより、拘束体３０が回転する。
【００１６】
なお、拘束体３０の形状は、その回転を円滑に行うためには本実施例のように円柱形状が好ましいが、本考案では、拘束体３０が回転可能となるようにブランケット胴２０に装着されていればよく、拘束体３０の形状は円柱形状に限定されない。
【００１７】
以上の構成において、ブランケット１０をブランケット胴２０に巻き付けて固定するには、まず図１（ａ）に示すように、拘束体３０のスリット３１が拘束溝２１と連なる状態としておき、ブランケット１０のくわえ側１１ａを拘束溝２１の壁面に引っ掛け、次いでブランケット胴２０を回転させてくわえ尻側１１ｂを拘束溝２１に挿入する。このとき、くわえ尻側１１ｂは、ブランケット胴２０外周側の拘束溝２１の開口部から挿入され、拘束体３０のスリット３１を通過してさらにブランケット胴２０中心側の拘束溝２１に達するように挿入される。なお、図１（ａ）の例では、くわえ側１１ａも同様に、拘束体３０のスリット３１を通過させてブランケット胴２０中心側の拘束溝２１に達するようにしたが、くわえ側１１ａについては、単に拘束溝２１の壁面に引っ掛けるだけでもよい。
【００１８】
上述の要領でブランケット１０をブランケット胴２０に巻き付けた後に、拘束体３０を回転させる。これにより、図１（ｂ）に示すように、くわえ側１１ａ及びくわえ尻側１１ｂが屈曲して締め込まれ、ブランケット１０がブランケット胴２０に確実に固定される。このとき、くわえ側１１ａ及びくわえ尻側１１ｂが損傷することなく円滑に屈曲できるように、本実施例では、拘束体３０のスリット開口部周囲を面取りして、そのスリット開口部周囲とブランケット胴２０との間に隙間３０ａが形成されるようにしている。
【００１９】
本実施例は、上述の基本構成に加え、図３に示すように、一方向に回転した拘束体３０が逆方向に回転することを阻止する戻り防止機構を備える。
【００２０】
図３に示す戻り防止機構は、先端部材４１が基端部材４２に対して進退可能であるとともにこの先端部材４１が弾性体（バネ）４３によって突出する方向に付勢されている弾性棒４０からなる。弾性棒４０は、その軸線が拘束体３０の中心軸３３と直交するように配置されている。また、先端部材４１は、拘束体３０の側面部に設けられた受け板３４に回転可能に軸支され、基端部材４２は、拘束体３０の中心軸３３が位置する水平面上で回転可能に軸支されている。
【００２１】
そして、拘束体３０が図１（ａ）の状態にあるときは、図３（ｂ）に破線で示すように、先端部材４１の軸支部４１ａが拘束体３０の中心軸３３が位置する水平面よりも下方に位置するように構成され、拘束体３０が図１（ｂ）の状態にあるときは、図３（ｂ）に実線で示すように、先端部材４１の軸支部４１ａが拘束体３０の中心軸３３が位置する水平面よりも上方に位置するように構成されている。
【００２２】
このように、拘束体３０を図１（ａ）の状態から反時計回り方向に回転させて図１（ｂ）の状態にすると、先端部材４１の軸支部４１ａが拘束体３０の中心軸３３が位置する水平面よりも上方に位置するので、拘束体３０が時計回りに回転することが阻止される。すなわち、図１（ｂ）の状態から拘束体３０を時計回りに回転させるには、その回転の当初には先端部材４１を後退させる必要があるので、相当の力が必要である。言い換えれば、相当の力を作用させなければ、拘束体３０は時計回りに回転しないので、一旦図１（ｂ）の状態にすると、輪転機の運転中に図１（ａ）の状態に移行することはない。なお、図１（ａ）の状態に移行させるには、拘束体３０を強制的に時計周りに回転させる。
【００２３】
ここで、図３の例では、図１（ａ）の状態で先端部材４１の軸支部４１ａが拘束体３０の中心軸３３が位置する水平面よりも下方に位置し、図１（ｂ）の状態で先端部材４１の軸支部４１ａが拘束体３０の中心軸３３が位置する水平面よりも上方に位置するようにしたが、拘束体３０を回転させる方向を逆にすれば、図３の例とは逆に、図１（ａ）の状態において先端部材４１の軸支部４１ａが拘束体３０の中心軸３３が位置する水平面よりも上方に位置し、図１（ｂ）の状態において先端部材４１の軸支部４１ａが拘束体３０の中心軸３３が位置する水平面よりも下方に位置するようにすることもできる。
【００２４】
図４は、ロック部材の他の例を示す。同図に示すロック部材５０は、つめ５１とつめ車５２とからなるラチェット機構を備えている。つめ５１は架台５３に回動可能に装着され、つめ車５２は拘束体３０の一端に固定されている。そして、つめ５１がつめ車５２に噛み合っている状態では、つめ車５２及び拘束体３０は、反時計回り方向にのみ回転可能である。本実施例では先に説明したとおり、図１（ｂ）の状態から図１（ａ）の状態にするには、拘束体３０を時計回りに回転させる必要があるが、つめ５１がつめ車５２に噛み合っている状態では、時計回りの回転が阻止されるので、図１（ｂ）の状態のままとなる。なお、つめ５１とつめ車５２の噛み合いを解除すると、拘束体３０を時計回りに回転させることができるので、図１（ａ）の状態とすることができる。
【００２５】
以上の実施例では、２頁幅のブランケットをブランケット胴に１枚だけ巻き付ける例を示したが、本考案は、２頁幅のブランケットをブランケット胴の軸方向に沿って２枚巻き付ける場合にも適用可能である。この場合、各々の拘束溝は１８０°位相をずらして形成されていることから、それぞれの拘束溝に対応させて個別に拘束体を配置する。
【００２６】
また、以上の実施例では、ブランケットを固定する場合について説明したが、刷版も同様に固定できることは自明である。
【符号の説明】
【００２７】
１０  ブランケット
１１  金属板
１１ａ  くわえ側
１１ｂ  くわえ尻側
１２  ブランケットシート
２０  ブランケット胴
２１  拘束溝
３０  拘束体
３０ａ  隙間  
３１  スリット
３２  操作部
４０  弾性棒（ロック部材）
４１  先端部材
４１ａ  軸支部
４２  基端部材
４３  弾性体（バネ）
５０  ロック部材
５１  つめ
５２  つめ車
５３  架台
【図１】
0003153813.tif 000003
【図２】
0003153813.tif 000004
【図３】
0003153813.tif 000005
【図４】
0003153813.tif 000006